(57)【要約】【課題】容器に収容した内容液を発泡させて泡状にして吐出することも、また液状のままで注出することも可能な吐出キャップを提案する。【解決手段】本発明の吐出キャップ１は、上部開口２ｍを有し、内容液を収容する容器２０の口部２０ｄに装着されるとともに口部２０ｄに連通する側部注出口２ｅを有するジョイント２と、上部開口２ｍを挿通してジョイント２に装着され、押圧ヘッド８を押し下げることによって駆動して容器２０に収容した内容液を押圧ヘッド８に設けた吐出口８ａから泡状にして吐出させるポンプ３と、を備えることを特徴とする。【選択図】図１
2020050399.tif 000002
【特許請求の範囲】
【請求項１】
上部開口を有し、内容液を収容する容器の口部に装着されるとともに該口部に連通する側部注出口を有するジョイントと、
前記上部開口を挿通して前記ジョイントに装着され、押圧ヘッドを押し下げることによって駆動して該容器に収容した内容液を該押圧ヘッドに設けた吐出口から泡状にして吐出させるポンプと、を備える吐出キャップ。
【請求項２】
前記ジョイントは、前記側部注出口を取り囲む注出筒を有する請求項１に記載の吐出キャップ。
【請求項３】
前記容器は、前記口部に設けられる第一係合部と、該第一係合部に取り付けられて該口部を閉鎖する蓋体を有するものであり、
前記ジョイントは、前記注出筒に設けられ前記第一係合部と同形状であって前記蓋体を装着可能な第二係合部を有する請求項２に記載の吐出キャップ。
【請求項４】
前記ジョイントは、ヒンジを介して前記注出筒に一体に連結するとともに該注出筒の先端開口を閉鎖可能な蓋壁を有する請求項２に記載の吐出キャップ。
【請求項５】
前記ジョイントは、前記先端開口を開放した状態で前記蓋壁を保持する蓋壁係合部を有する請求項４に記載の吐出キャップ。
【請求項６】
前記ジョイントは、前記側部注出口を、前記容器に収容した内容液を外界に向けて注出可能な下部開口部分と外界の空気を該容器に取り込み可能な上部開口部分に区画する区画壁を有する請求項１〜５の何れか一項に記載の吐出キャップ。
【発明の詳細な説明】
【技術分野】
【０００１】
本発明は、内容液を収容する容器の口部に装着され、内容液をそのままの状態で注出することも泡状にして吐出させることも可能な吐出キャップに関する。
【背景技術】
【０００２】
従来、例えば洗浄剤や薬剤、食品調味料、飲料等を収容する容器に装着され、内容液を泡状にして吐出することができる吐出器が知られている。このような吐出器として特許文献１には、ベースキャップによって容器の口部に固定保持され、上方付勢された押圧ヘッドへの押し下げ動作及び押圧ヘッドの復帰動作によってシリンダー内で内容液用のピストンと空気用のピストンを動かし、それに伴いシリンダー内に内容液と空気を吸引するとともにこれらを混合した状態で圧送し、更にメッシュを通過させることによってこれらを発泡させ、押圧ヘッドの吐出口から泡状の内容液を吐出するものが示されている。
【先行技術文献】
【特許文献】
【０００３】
【特許文献１】特開２００７−０５０３２３号公報
【発明の概要】
【発明が解決しようとする課題】
【０００４】
ところで使用状況によっては、内容液を泡状にして吐出させるに限らず、発泡させずにそのまま注出させたい時がある。例えば衣類の汚れを落とす場合においては、衣類の表面に洗浄剤を長く留めるべくこれを泡状にして吐出させたい時もあるし、衣類に素早く浸透させることを目的に、液体のまま注出させたい時もある。また食品調味料（醤油など）においては、使用量を減らすべく、泡状にして食品の上に載せ置くように吐出させることもあるし、液状のまま食品にかけて使用することもある。更にビールやコーヒーなどの飲料においては、グラス等に液体状態で注いだ後に泡を液面上に吐出させることもある。しかし、従来の吐出器は内容液を液体のまま注出させることはできないため、このような場合は吐出器を容器から取り外して使用するか、又は液体のまま注出できるキャップを設けた容器を別途用意しておく必要があった。
【０００５】
本発明は、このような点に鑑みてなされたものであり、容器に収容した内容液を発泡させて泡状にして吐出することも、また液状のまま注出することも可能な吐出キャップを提供することを目的とする。
【課題を解決するための手段】
【０００６】
本発明は、上部開口を有し、内容液を収容する容器の口部に装着されるとともに該口部に連通する側部注出口を有するジョイントと、
前記上部開口を挿通して前記ジョイントに装着され、押圧ヘッドを押し下げることによって駆動して該容器に収容した内容液を該押圧ヘッドに設けた吐出口から泡状にして吐出させるポンプと、を備える吐出キャップである。
【０００７】
前記ジョイントは、前記側部注出口を取り囲む注出筒を有することが好ましい。
【０００８】
前記容器は、前記口部に設けられる第一係合部と、該第一係合部に取り付けられて該口部を閉鎖する蓋体を有するものであり、
前記ジョイントは、前記注出筒に設けられ前記第一係合部と同形状であって前記蓋体を装着可能な第二係合部を有することが好ましい。
【０００９】
前記ジョイントは、ヒンジを介して前記注出筒に一体に連結するとともに該注出筒の先端開口を閉鎖可能な蓋壁を有することが好ましい。
【００１０】
前記ジョイントは、前記先端開口を開放した状態で前記蓋壁を保持する蓋壁係合部を有することが好ましい。
【００１１】
前記ジョイントは、前記側部注出口を、前記容器に収容した内容液を外界に向けて注出可能な下部開口部分と外界の空気を該容器に取り込み可能な上部開口部分に区画する区画壁を有することが好ましい。
【発明の効果】
【００１２】
本発明に従う吐出キャップによれば、容器の口部に装着されるジョイントに、口部に連通する側部注出口を設けているため、容器を傾けると内容液を液状のまま側部注出口から注出することができる。またこの吐出キャップは、ジョイントの上部開口に装着されるポンプを有していて、押圧ヘッドを押し下げることによってポンプを駆動させ、これによって押圧ヘッドの吐出口から泡状の内容液を吐出することもできる。すなわち、容器の口部にこの吐出キャップを装着したままで、内容液を液状のまま注出させることも泡状に発泡させて吐出させることも可能であり、使い勝手に優れている。
【００１３】
またジョイントに、側部注出口を取り囲む注出筒を設ける場合は、内容液を注出先に向けて狙って注出できるうえ、注出後の液切れ性が良くなるため、内容液が周囲に溢れる不具合が生じにくくなる。
【００１４】
そして容器が、口部の第一係合部に取り付けられる蓋体を有している場合、ジョイントの注出筒に、第一係合部と同形状であってこの蓋体を装着可能な第二係合部を設けることによって、容器の口部を閉鎖していた蓋体を再利用して注出筒を閉鎖することができる。
【００１５】
またこのような蓋体の替わりに、ヒンジを介して注出筒に一体に連結するとともに注出筒の先端開口を閉鎖可能な蓋壁を設ける場合は、吐出キャップに対して、部品点数を増やすことなく注出筒を閉鎖する機能を持たせることができる。また蓋壁を設ける場合は、注出筒の先端開口を開放した状態で蓋壁を保持する蓋壁係合部を設けることにより、内容液を液状のまま注出している際に蓋壁が閉じてしまうことがないため、より便利に使用することができる。
【００１６】
そしてジョイントに設けた区画壁によって、側部注出口を、容器に収容した内容液を外界に向けて注出可能な下部開口部分と外界の空気を該容器に取り込み可能な上部開口部分に区画する場合は、側部注出口から内容液を注出している最中の脈動を抑えることができる。
【図面の簡単な説明】
【００１７】
【図１】本発明に従う吐出キャップの第一実施形態に関し、これを容器に装着した状態で示した側面視での半断面図である。
【図２】図１の吐出キャップを前方から示した半断面図である。
【図３】図１の吐出キャップにおける押圧ヘッドの内部構造を示す拡大図である。
【図４】（ａ）は図１に示した吐出キャップから内容液を液状のまま注出する状況について示した図であり、（ｂ）は押圧ヘッドの吐出口から泡状にして吐出する状況について示した図である。
【図５】本発明に従う吐出キャップの第二実施形態に関し、これを容器に装着した状態で示した側面視での半断面図である。
【図６】図５の吐出キャップを前方から示した半断面図である。
【図７】（ａ）は図５に示した吐出キャップから内容液を液状のまま注出する状況について示した図であり、（ｂ）は押圧ヘッドの吐出口から泡状にして吐出する状況について示した図である。
【発明を実施するための形態】
【００１８】
まず、本発明に従う吐出キャップの第一実施形態について、図１〜図４を参照しながら説明する。なお、本明細書等において、「上」側、「下」側とは、図１に示すように、正立させた容器（符号２０）に吐出キャップ（符号１）を取り付けた状態での向きをいう。
【００１９】
図１に示すように、本実施形態の吐出キャップ１は、ボトル状に形成された容器２０に装着するように構成されている。本実施形態における容器２０は、合成樹脂（ポリエチレンテレフタレート（ＰＥＴ）を主材とする素材）で形成されている。なお、容器２０の素材は合成樹脂に限られるものではなく、例えば金属やガラスなど他の素材を採用してもよい。図示したように容器２０は、円板状の底部２０ａと、底部２０ａの外縁部から起立する円筒状の胴部２０ｂと、胴部２０ｂの上端部に連結するとともに上方に向けて縮径する円錐状の肩部２０ｃと、肩部２０ｃの上端部から上方に向けて延在する円筒状の口部２０ｄと、口部２０ｄの外周面に雄ねじ状に設けられた第一係合部２０ｅとを備えていて、その内側には内容液を収容する収容空間Ｓが形成されている。
【００２０】
なお、上述した容器２０は、吐出キャップ１を取り外した状態で、図１に示した蓋体２１を装着することが可能である。ここで蓋体２１は、円板状に形成された蓋体本体部２１ａと、第一係合部２０ｅに係合するように構成された雌ねじ状の蓋体係合部２１ｂと、第一係合部２０ｅに蓋体係合部２１ｂを係合させた際に口部２０ｄの内周面に液密に当接する蓋体シール部２１ｃとを備えている。
【００２１】
このような容器２０に装着される本実施形態の吐出キャップ１は、ジョイント２とポンプ３を備えるとともに、後述する押圧ヘッドを覆い隠すオーバーキャップ１３を備えている。
【００２２】
ジョイント２は、円筒状をなすジョイント本体２ａを備えている。ジョイント本体２ａの内側下部には、ジョイント本体２ａの内周面から径方向内側に延在する内向きフランジ２ｂが設けられていて、内向きフランジ２ｂには、第一係合部２０ｅに係合するように構成された雌ねじ状の下部係合部２ｃが設けられている。また内向きフランジ２ｂには、第一係合部２０ｅに下部係合部２ｃを係合させた際に口部２０ｄの内周面に液密に当接するジョイントシール部２ｄが設けられている。
【００２３】
またジョイント２は、図１に示すようにジョイント本体２ａを貫通する円形状の側部注出口２ｅを備えている。側部注出口２ｅの内側には、側部注出口２ｅを下部開口部分２ｆと上部開口部分２ｇに区画する区画壁２ｈが設けられている。またジョイント本体２ａの外周面には、側部注出口２ｅを取り囲んで径方向外側に向けて略水平に延在する円筒状の注出筒２ｊが設けられていて、注出筒２ｊの外周面には、蓋体２１を装着することが可能であって、第一係合部２０ｅと同形状になる雄ねじ状の第二係合部２ｋが設けられている。
【００２４】
更にジョイント２は、ジョイント本体２ａの上部を貫通する上部開口２ｍを備えている（図１の拡大図を参照）。また、ジョイント本体２ａの上部外周面には、雄ねじ状の上部係合部２ｎが設けられている。
【００２５】
そしてポンプ３は、図示したように、上部に対して下部を屈曲させたパイプ４と、パイプ４に連結するとともに、小径の下部と大径の上部とを直列状に連結させた如き形態をなし、ジョイント２に挿通されるシリンダー５と、図１の拡大図に示すように、円環板状をなし、ジョイント本体２ａの上端部においてシリンダー５に挟持されるシール部材６と、シリンダー５の上部を保持するとともに、上部係合部２ｎに係合してジョイント２に装着されるベースキャップ７と、ベースキャップ７から上方に向けて突出する押圧ヘッド８とを備えている。なお、本実施形態のポンプ３は、前述の特許文献１に示されているポンプと略同一の内部構造をなすものであって、上方付勢された押圧ヘッド８への押圧動作及び押圧ヘッド８の復帰動作によって、図３に示したステム９を介してシリンダー５の内部に設けられた内容液用のピストンと空気用のピストン（ともに不図示）を動かし、それに伴い、容器２０に収容した内容液と空気とをシリンダー５内に吸引するようにしている。ここで、図３に示すように押圧ヘッド８の内部には、下部に対して上部が大径になるジェットリング１０と、ジェットリング１０の上部に保持されるとともに端面にメッシュを備えるメッシュリング１１が設けられていて、ジェットリング１０の下方には、シリンダー５内に吸引された内容液と空気が混合する合流空間Ｇが形成されている。そしてシリンダー５内に吸引された内容液と空気は、合流空間Ｇで混合して圧送され、ジェットリング１０に保持されたメッシュリング１１を通過して発泡し、押圧ヘッド８の吐出口８ａから泡状になって吐出される。なお本実施形態の吐出口８ａには、押圧ヘッド８に保持されるように形成されたメッシュリング１２が取り付けられている。
【００２６】
図１に示すようにオーバーキャップ１３は、有蓋筒状をなすものであって、押圧ヘッド８を覆い隠してベースキャップ７に着脱自在に保持されるように構成されている。
【００２７】
このような構成になる吐出キャップ１において、側部注出口２ｅは口部２０ｄに連通している。このため、注出筒２ｊから蓋体２１を取り外した状態で、図４（ａ）に示すように容器２０を傾けると、収容空間Ｓの内容液は、口部２０ｄと側部注出口２ｅを通過して注出筒２ｊの先端開口から注出される。従って、図４（ａ）に示す手法によって、内容液を液状のまま注出させることができる。本実施形態では、側部注出口２ｅの内側に区画壁２ｈを設け、これによって側部注出口２ｅを下部開口部分２ｆと上部開口部分２ｇに区画しているため、内容液を下部開口部分２ｆから注出させるとともに、上部開口部分２ｇを通して収容空間Ｓに空気を導入することができる。これにより、内容液を注出している最中の脈動が抑えられるとともに、収容空間Ｓでの内容液と空気との置換がスムーズに行われる。
【００２８】
一方、内容液を泡状にして吐出する場合は、オーバーキャップ１３を取り外した状態で押圧ヘッド８を押し下げる。これによりポンプ３を駆動させることができるため、図４（ｂ）に示すように、吐出口８ａから泡状の内容液を吐出することができる。なお、泡状の内容液が吐出口８ａの内側に残っていると、時間の経過とともに泡が消えて内容液が吐出口８ａから垂れることがあるが、本実施形態においては、図３に示すように吐出口８ａにメッシュリング１２を取り付けているため、このような液だれを有効に防止することができる。ところで内容液を泡状にして吐出する際は、図４（ｂ）に示すように容器２０をそれ程大きく傾ける必要はない（正立姿勢から９０°を超えて傾ける必要はない）。このため、内容液を泡状にして吐出する際、蓋体２１が注出筒２ｊから取り外されていても、注出筒２ｊから液状の内容液が注出されることはない。
【００２９】
次に、本発明に従う吐出キャップの第二実施形態について、図５〜図７を参照しながら説明する。なお、前述の実施形態と機能や形態が略同一である部位については、図面に同一の符号を付して説明は省略する。
【００３０】
本実施形態の吐出キャップ１’は、側部注出口２ｅの内側に設けていた区画壁２ｈを廃止するとともに、径方向外側に向けて略水平に延在していた注出筒２ｊに替えて、側部注出口２ｅから離れるにつれて上方に向けて傾く注出筒２ｐを備えている。また図５、図６に示すように注出筒２ｐの先端部には、ヒンジ２ｑを介して注出筒２ｐに一体に連結するとともに注出筒２ｐの先端開口を閉鎖可能な蓋壁２ｒが設けられている。ここで、図５に示すように蓋壁２ｒの下部には、蓋壁２ｒを延長した指掛かり部２ｓが設けられていて、蓋壁２ｒの内面には、注出筒２ｐの内周面に液密に当接する蓋壁シール部２ｔが設けられている。そしてジョイント本体２ａに注出筒２ｐが連結する部位の上方には、ジョイント本体２ａの外周面から径方向外側に向けて突出し、指掛かり部２ｓに係合して開いた蓋壁２ｒを保持する（図７（ａ）参照）板状の蓋壁係合部２ｕが設けられている。
【００３１】
このような構成になる吐出キャップ１’において、内容液を液状のまま注出する場合は、図７（ａ）に示すように蓋壁２ｒを開いて、指掛かり部２ｓを蓋壁係合部２ｕに係合させる。これにより、注出筒２ｐの先端開口が開いたままの状態になる。そして容器２０を傾けることによって、収容空間Ｓの内容液を、口部２０ｄと側部注出口２ｅを通過させて注出筒２ｐの先端開口から注出させることができる。
【００３２】
そして内容液を泡状にして吐出する場合は、図７（ｂ）に示す状態で押圧ヘッド８を押し下げればよく、これによってポンプ３を駆動させることができるため、吐出口８ａから泡状の内容液を吐出することができる。
【００３３】
以上、本発明について具体的な実施形態を示しながら説明したが、本発明に従う吐出キャップは上述した実施形態に限られるものではなく、特許請求の範囲に従う範疇で種々の変更を加えたものも含まれる。例えばポンプは、上述した構造になるものに限られず、他の構造を採用したものであってもよい。また図１に示すように、蓋体２１が装着される第一係合部２０ｅと第二係合部２ｋは、ともに雄ねじ状をなすものであったが、例えばアンダーカットを採用して蓋体２１を保持するようにしてもよい。また、第一実施形態の吐出キャップ１における区画壁２ｈを第二実施形態の吐出キャップ１’に適用してもよいし、吐出キャップ１’におけるヒンジ２ｑで注出筒２ｐに連結させた蓋壁２ｒを、吐出キャップ１の注出筒２ｊに設けてもよい。
【符号の説明】
【００３４】
１、１'：吐出キャップ
２：ジョイント
２ａ：ジョイント本体
２ｂ：内向きフランジ
２ｃ：下部係合部
２ｄ：ジョイントシール部
２ｅ：側部注出口
２ｆ：下部開口部分
２ｇ：上部開口部分
２ｈ：区画壁
２ｊ：注出筒
２ｋ：第二係合部
２ｍ：上部開口
２ｎ：上部係合部
２ｐ：注出筒
２ｑ：ヒンジ
２ｒ：蓋壁
２ｓ：指掛かり部
２ｔ：蓋壁シール部
２ｕ：蓋壁係合部
３：ポンプ
４：パイプ
５：シリンダー
６：シール部材
７：ベースキャップ
８：押圧ヘッド
８ａ：吐出口
９：ステム
１０：ジェットリング
１１：メッシュリング
１２：メッシュリング
１３：オーバーキャップ
２０：容器
２０ａ：底部
２０ｂ：胴部
２０ｃ：肩部
２０ｄ：口部
２０ｅ：第一係合部
２１：蓋体
２１ａ：蓋体本体部
２１ｂ：蓋体係合部
２１ｃ：蓋体シール部
Ｇ：合流空間
Ｓ：収容空間
【図１】
2020050399.tif 000003
【図２】
2020050399.tif 000004
【図３】
2020050399.tif 000005
【図４】
2020050399.tif 000006
【図５】
2020050399.tif 000007
【図６】
2020050399.tif 000008
【図７】
2020050399.tif 000009